(57)【要約】【課題】特殊な電球を用いずに、照明装置が取り付けられた取付面の直交方向に対し照明の照射方向を傾斜させる照明装置を提供する。【解決手段】照明装置は、固定部材に固定され、固定部材に形成された孔に挿入される固定側筒部を含む筒部材と、固定部材に固定され内部に光源が配置される光源支持部と、筒部材に支持され、光源と反対側の一端に光出射口である開口５０が形成された非透光性の筒状のカバー４１と、カバー４１の内側に配置されたパネル部材６０であって、パネル側筒部である筒部６１と、筒部６１の光源側の端に連結されたフランジ状の光入口遮光部６２とを有し、光源から入射された光を筒部６１に通してカバー４１の軸方向に対し傾斜して出射させるパネル部材６０と、を含む。【選択図】図７
2018206610.tif 000002
【特許請求の範囲】
【請求項１】
固定部材に固定され、前記固定部材に形成された孔に挿入される固定側筒部を含む筒部材と、
前記固定部材に固定され内部に光源が配置される光源支持部と、
前記筒部材に支持され、前記光源と反対側の一端に光出射口である開口が形成された非透光性の筒状のカバーと、
前記カバーの内側に配置されたパネル部材であって、パネル側筒部と、前記パネル側筒部の前記光源側の端に連結されたフランジ状の光入口遮光部とを含み、前記光源から入射された光を前記パネル側筒部に通して前記カバーの軸方向に対し傾斜して出射させるパネル部材と、を備える、照明装置。
【請求項２】
請求項１に記載の照明装置において、
前記パネル部材は、前記カバーに支持され、３６０度以上の回転が可能に配置される、照明装置。
【請求項３】
請求項１または請求項２に記載の照明装置において、
前記パネル側筒部は、光通過部の面積が光出口側に向かって絞られた形状である、照明装置。
【請求項４】
請求項１から請求項３のいずれか１項に記載の照明装置において、
前記カバーの前記開口が下になるように配置され、
前記光入口遮光部は、上面において、前記パネル側筒部との接続部に向かって下方に傾斜した入口側傾斜面を有する、照明装置。
【請求項５】
請求項１から請求項４のいずれか１項に記載の照明装置において、
前記パネル側筒部の前記光源とは反対側の端に連結されたフランジ状の光出口遮光部を含み、
前記カバーの一端から他端に向かって見た場合に、前記光出口遮光部と前記光入口遮光部とが少なくとも一部で重畳している、照明装置。
【請求項６】
請求項５に記載の照明装置において、
前記カバーの前記開口が下になるように配置され、
前記光出口遮光部は、上面において、中心部から外周縁に向かって下方に傾斜した出口側傾斜面を有し、
前記カバーの一端部の内面と前記光出口遮光部の下端との間、及び、前記光出口遮光部の外周縁と前記カバーの内周面との間にそれぞれ隙間が形成される、照明装置。
【請求項７】
請求項１から請求項６のいずれか１項に記載の照明装置において、
前記カバーは、一端部における前記開口の周縁部の内面において、前記開口に向かって下方に傾斜したカバー傾斜面を有する、照明装置。
【請求項８】
請求項１から請求項７のいずれか１項に記載の照明装置において、
前記固定部材が天井板であり、前記天井板に支持され、下側の水面に光を照射させ、水面で反射した光により水面の揺らぎを壁面に写す水盤照明用として用いられる、照明装置。
【発明の詳細な説明】
【技術分野】
【０００１】
本開示は、照明装置に関する。
【背景技術】
【０００２】
特許文献１には、ＬＥＤ電球を備えた照明器具が記載されている。このＬＥＤ電球では、ランプ本体の下側に設けた支持壁が口金の軸心に対し傾斜して設けられ、この支持壁に台座が回転可能に支持される。台座にはＬＥＤ光源及び透光製カバーが取り付けられる。透光性カバーを持って、台座を回転させたときにＬＥＤ光源が透光性カバーと一体で回転するので、ＬＥＤ光源の照射方向が変わる、とされている。
【先行技術文献】
【特許文献】
【０００３】
【特許文献１】特開２０１３−１４５６８２号公報
【発明の概要】
【発明が解決しようとする課題】
【０００４】
ところで、水盤照明用等として用いられる照明装置において、天井板等の固定部材に形成され、照明装置の一部が挿入される孔の軸方向に対し照明の照射方向を傾斜させる場合に、特殊な電球を用いずにその照明装置を提供することが望まれる。
【課題を解決するための手段】
【０００５】
本開示の一態様である照明装置は、固定部材に固定され、固定部材に形成された孔に挿入される固定側筒部を含む筒部材と、固定部材に固定され内部に光源が配置される光源支持部と、筒部材に支持され、光源と反対側の一端に光出射口である開口が形成された非透光性の筒状のカバーと、カバーの内側に配置されたパネル部材であって、パネル側筒部と、パネル側筒部の光源側の端に連結されたフランジ状の光入口遮光部とを含み、光源から入射された光をパネル側筒部に通してカバーの軸方向に対し傾斜して出射させるパネル部材と、を備える。
【発明の効果】
【０００６】
本開示の一態様である照明装置によれば、固定部材に形成された孔の軸方向にカバーの軸方向が一致するようにカバーを配置することにより、特殊な電球を用いずに、照明の照射方向を孔の軸方向に対し傾斜させることができる。
【図面の簡単な説明】
【０００７】
【図１Ａ】実施形態の一例である照明装置を上方から見た斜視図である。
【図１Ｂ】実施形態の一例である照明装置を下方から見た斜視図である。
【図２】図１ＡのＡ−Ａ断面図である。
【図３】実施形態の一例である照明装置の分解斜視図である。
【図４】図１から照射方向変更ユニットを取り出して上方から見た斜視図である。
【図５】図４に示す照射方向変更ユニットの正面図である。
【図６】図４に示す照射方向変更ユニットにおいて、蓋部材を取り外して上方から見た斜視図である。
【図７】図６のＢ−Ｂ断面図である。
【図８】図４に示す照射方向変更ユニットを構成する上カバー要素を上方から見た斜視図である。
【図９】図４に示す照射方向変更ユニットを構成する下カバー要素を上方から見た斜視図である。
【図１０】図４に示す照射方向変更ユニットを構成するパネル部材を上方から見た斜視図である。
【図１１】実施形態の別例である照明装置において、図７に対応する図である。
【発明を実施するための形態】
【０００８】
以下、図面を参照しながら、本開示に係る照明装置の実施形態の一例について詳細に説明する。実施形態の説明で参照する図面は模式的に記載されたものであるから、各構成要素の寸法比率などは以下の説明を参酌して判断されるべきである。以下の説明において、具体的な形状、材料、数量等は、本開示の理解を容易にするための例示であって、照明装置の仕様に合わせて適宜変更することができる。また、以下で説明する複数の実施形態の各構成要素を選択的に組み合わせることは当初から想定されている。以下では、すべての図面において同様の要素には同一の符号を付して説明する。
【０００９】
図１Ａは、実施形態の一例である照明装置１０を上方から見た斜視図である。図１Ｂは、照明装置１０を下方から見た斜視図である。図２は、図１ＡのＡ−Ａ断面図である。図３は、照明装置１０の分解斜視図である。図１Ａから図３に示すように、照明装置１０は、電源ユニット１２と、光源ユニット１６（図３）と、天井取付ユニット３０と、照射方向変更ユニット４０とを含んで構成される。照明装置１０は、例えば浴室等の天井板１００（図２）に支持されて水盤照明用として用いられる。天井板１００は、固定部材に相当する。水盤照明は、例えば浴室の下側に配置された浴槽内の水面に斜め下方向に光を照射させ、水面で反射した光により水面の揺らぎを壁面に写すことで、その揺らぎを楽しむものである。このような照明装置１０は、光が出射される後述の光出射口であるカバー４１の開口５０（図２）が下になるように配置され、その開口５０を鉛直下方に向けた状態で天井板１００の孔である埋め込み孔１０１（図２）に挿入される天井埋め込み型の照明装置である。このような照明装置１０は、一般的にダウンライトと呼ばれる。本明細書では、説明の便宜上、照明装置１０を天井に取り付けた状態で、照明装置１０の鉛直上方側を「上」とし、鉛直下方側を「下」とする。
【００１０】
照明装置１０は、例えば浴室において水平な天井板に取り付けられるが、水平方向に対して傾斜した天井板に取り付けることもできる。照明装置は、屋内のプール施設の天井板、または、屋外の露天風呂、またはプール施設において、上側に設けられた構造物の天井板に取り付けることもできる。また、照明装置は、水盤照明用に限定するものではなく、例えば天井板に取り付けた照明装置により、真下とは異なる位置の床面、または壁面を照明するために用いてもよい。
【００１１】
電源ユニット１２は、照明装置１０の上部に配置され、後述の光源ユニット１６（図３）に電力を供給する。電源ユニット１２は、電源カバー１３と、電源カバー１３に取り付けられたコネクタ１４と、電源カバー１３の内側に配置された回路基板１５とを有する。図３に示すように電源カバー１３は、２つのカバー要素１３ａ、１３ｂを上下に組み合わせた状態で結合することにより、回路基板１５を覆うように形成される。電源カバー１３の横方向端部にはコネクタ１４が固定される。図３では、コネクタの図示を省略している。
【００１２】
各カバー要素１３ａ、１３ｂは、金属板に曲げ加工を施すことで形成される。回路基板１５には電源回路（図示せず）が配置される。コネクタ１４は、電源回路にリード線（図示せず）等により接続される。コネクタ１４には、電源コード（図示せず）の一端に設けられたプラグが接続可能であり、電源コードは、他端において交流電源に接続される。電源カバー１３は、下側のカバー要素１３ｂを構成する本体板部１３ｃの幅方向両端から下側に伸びるように形成された２つの脚部１３ｄの下端が、後述の天井取付ユニット３０の天井取付板３１の上面にボルト３２及び筒ナット３３により結合される。
【００１３】
光源ユニット１６は、光源支持部１７と、光源である発光モジュール２４とを含む。光源支持部１７は、上カバー１８、下カバー２０、及び中カバー２２を有する。光源支持部１７の内部に発光モジュール２４が配置される。上カバー１８は、例えば金属により形成され、上端に天板を有する略円筒状であり、電源カバー１３を構成する本体板部１３ｃの下側にねじにより固定される。
【００１４】
下カバー２０は、例えば光拡散用のフィラーまたはボイドを含有する乳白色の樹脂製透光部材である。下カバー２０は、下端に底板を有する略円筒状であり、上カバー１８の内側に嵌合される。下カバー２０は透明な部材であってもよい。下カバー２０は、後述の発光モジュール２４から出射される光を下側に透過させる機能を有する。中カバー２２は樹脂等により形成され、下端に底板を有する略円筒状であり、下カバー２０の内側に嵌合される。中カバー２２の底板には円形の窓孔（図示せず）が形成される。この底板において窓孔の周縁部には、発光モジュール２４が中カバー２２の軸方向に対し垂直な方向に沿って支持されている。上カバー１８、下カバー２０、及び中カバー２２は、電源カバー１３と天井取付ユニット３０の天井取付板３１とに挟まれて固定される。
【００１５】
発光モジュール２４は、例えば長方形状の基板に実装されたＣＯＢ（Chip on Board）タイプの光源本体を有する。光源本体を構成する発光素子は、例えば半導体発光素子であり、その中でもＬＥＤ（Light Emitting Diode）が好ましい。発光素子は、例えば蛍光体を含む封止層で封止される。光源本体は、蛍光体によって発光素子の青色光の一部をより長波長の光に変換し、青色光の残りの一部と混色することで白色光を出射する。
【００１６】
発光モジュール２４は、電源ユニット１２の電源回路にリード線（図示せず）により接続されて、電源回路から電力が供給される。発光モジュール２４は、中カバー２２の窓孔と下カバー２０の底板とを通じて光を下側に出射する。
【００１７】
天井取付ユニット３０は、照明装置１０を天井板に取り付けるためのものであり、天井取付板３１と下側筒部材３６とを有する。天井取付板３１は、上から見た形状が矩形であり、正方形等の矩形状の本体板部３１ａと、本体板部３１ａの外周部に立設する周壁部３１ｂとを有する。本体板部３１ａには、電源カバー１３を固定するための上記のボルト３２が、上方に突出するように固定される。本体板部３１ａの中心部には断面矩形の突部３１ｃが上方に膨らむように形成され、その突部３１ｃの上端に円形の孔部３１ｄが形成される。発光モジュール２４の光はこの孔部３１ｄを通じて下側に出射される。
【００１８】
筒部材である下側筒部材３６は、円筒状の筒部３７の上端にフランジ３８が形成される。筒部３７は、固定側筒部に相当する。フランジ３８は、天井取付板３１の突部３１ｃの内側に配置される略矩形板状である。フランジ３８の下面は筒部３７の軸方向に対し直交する平面を持つ。天井裏空間にこのフランジ３８と天井取付板３１とが配置された状態で、天井板１００に形成された埋め込み孔１０１に下側筒部材３６の筒部３７が挿入される。そして、天井取付板３１と天井板１００とで下側筒部材３６のフランジ３８を挟んだ状態で、天井取付板３１が木ねじ３４（図１）によって天井板１００の上側に固定される。これにより、光源支持部１７が、天井板１００に固定される。また、天井板１００の取付面である上側面Ｆに対し軸方向が直交するように、天井板１００に下側筒部材３６が固定される。この状態で、下側筒部材３６の軸方向（中心軸Ｏ１方向）は埋め込み孔１０１の軸方向と平行である。また、図２に示す下側筒部材３６の筒部３７の内周面にはねじ孔３７ａが形成され、そのねじ孔３７ａには、後述の上カバー要素４２の雄ねじ部４３が下側から結合される。
【００１９】
以上が照明装置１０において、天井裏空間に配置される構成要素であり、天井板１００の下側には、後述の照射方向変更ユニット４０が配置され、後述のカバー４１を含めて下側筒部材３６に支持される。
【００２０】
図４は、図１から照射方向変更ユニット４０を取り出して上方から見た斜視図である。図５は、照射方向変更ユニット４０の正面図である。図６は、照射方向変更ユニット４０において、蓋部材７０を取り外して上方から見た斜視図である。図７は、図６のＡ−Ａ断面図である。
【００２１】
照射方向変更ユニット４０は、カバー４１と、パネル部材６０とを含む。カバー４１は、上カバー要素４２と下カバー要素４８とを有し、上カバー要素４２に下カバー要素４８が係止されて結合される。パネル部材６０は、上カバー要素４２に上部が挿入され、パネル部材６０の下側部分が上カバー要素４２と下カバー要素４８とで形成される円板状の空間内に配置される。
【００２２】
具体的には、上カバー要素４２及び下カバー要素４８は、樹脂、金属等の非透光性の材料により形成される。図８は、上カバー要素４２を上方から見た斜視図である。上カバー要素４２は、下端にフランジ４４を有する筒状であり、筒部４２ａの外周面に雄ねじ部４３が形成される。この雄ねじ部４３は、図３に示した下側筒部材３６の筒部３７の内周面に形成されたねじ孔に結合される。フランジ４４は、外周部において周方向の１８０度位相が異なる２つの位置に円弧形の切欠４５が形成される。
【００２３】
また、フランジ４４の上面において切欠４５の周方向両端に位置する部分には、半径方向に伸びる半径方向壁部４６ａ、４６ｂが形成される。また、フランジ４４の上面において、切欠４５の内周側端と半径方向において一致する位置には円形壁部４７が形成され、円形壁部４７の外周に半径方向壁部４６ａ、４６ｂの内周側端が接続される。後述するようにフランジ４４の外周部は、下カバー要素４８（図９）を構成する周壁部４９の内周面に形成された上端径方向突部５１と中間径方向突部５２との間に支持される。半径方向壁部４６ａ、４６ｂ（図８）は、上カバー要素４２を下カバー要素４８に対し回転させる際のストッパとしての機能を有する。
【００２４】
図９は、下カバー要素４８を上方から見た斜視図である。下カバー要素４８は、上端が開口し、下端に円環状の底板部４８ａが形成された円筒状であり、底板部４８ａの中心部には円形の光出射口である開口５０が形成される。図７に示すように、下カバー要素４８の一端部である下端部における開口５０の周辺部には、下方に向かうほど直径が小さくなるように傾斜した環状の傾斜部５３が形成される。傾斜部５３は、周壁部４９と底板部４８ａとを連結する。そして、下カバー要素４８は、開口５０の周縁部の内面としての傾斜部５３の内面において、開口５０に向かって下方に傾斜したカバー傾斜面５４を有する。
【００２５】
図９に示すように、下カバー要素４８の底板部４８ａの周方向複数位置には、放射状のリブ５５が上方に突出するように形成される。さらに、下カバー要素４８の周壁部４９の内面の上端部において、１８０度位相が異なる２つの位置には、径方向内側に突出する円弧形の上端径方向突部５１が形成される。また、周壁部４９の軸方向中間部において、１８０度位相が異なる２つの位置には、上端径方向突部５１と周方向において隣り合うように、径方向内側に突出する中間径方向突部５２が形成される。中間径方向突部５２の周方向長さは、上端径方向突部５１の周方向長さより小さいが、中間径方向突部５２の周方向長さを、上端径方向突部５１の周方向長さ以上としてもよい。中間径方向突部５２の先端部上面には、半球等の上側突部５２ａが形成される。各中間径方向突部５２は、近くの上端径方向突部５１に対し周方向一方側に離れた位置に配置される。
【００２６】
図１０は、パネル部材６０を上方から見た斜視図である。パネル部材６０は、樹脂等の非透光性の材料により形成される。パネル部材６０は、光を反射させない、または反射させにくい材料であれば金属により形成してもよい。パネル部材６０は、断面が長円形の筒部６１と、筒部６１の光源側の端である上端に連結されたフランジ状の光入口遮光部６２と、筒部６１の光源とは反対側の端である下端に連結されたフランジ状の光出口遮光部６６とを有する。筒部６１は、パネル側筒部に相当する。
【００２７】
筒部６１は、内側において、パネル部材６０の中心軸Ｏ１に対し直交する平面についての断面積が光出口側（図７の下側）に向かって徐々に絞られた形状である。図７の例では、筒部６１の内周面において、断面形状の長円形の短軸方向一方側（図７の左側）に位置し、パネル部材６０の中心軸Ｏ１に近い側の一方側面６１ａは、パネル部材６０の軸方向に対し下方に向かってこの中心軸Ｏ１から離れる方向に傾斜する。
【００２８】
一方、筒部６１の内周面において、断面形状の長円形の短軸方向他方側（図７の右側）に位置し、パネル部材６０の中心軸Ｏ１から遠い側の他方側面６１ｂは、パネル部材６０の軸方向に略沿っている。筒部６１が上記のように光出口側に向かって絞られているので、照明装置１０から出射される光の量を少なくできる。なお、筒部６１は、このような形状に限定するものではなく、例えば断面が円形または長方形等の矩形であってもよい。また、筒部６１は、光出口側に向かって絞られた形状に限定せず、全体がカバー４１の軸方向に対し傾斜していれば、光入口から光出口に向かって断面積が略一定の筒状となるようにしてもよい。
【００２９】
図１０に示すように、光入口遮光部６２は、上から見た形状が円形である。光入口遮光部６２は発光モジュール２４（図３）からの光をその部分で遮光するか、または光入口遮光部６２を透過する光の量を抑制する。筒部６１の内側には光入口遮光部６２の孔としての入口スリット６２ａが接続される。入口スリット６２ａは、パネル部材６０の中心軸Ｏ１と一致する光入口遮光部６２の中心軸Ｏ１に対し偏心した位置にある。光入口遮光部６２は、上面が中心に向かって略皿状に窪んでいる。また、光入口遮光部６２は、上面において、筒部６１の上端の周囲に、筒部６１との接続部に向かって下方に傾斜した入口側傾斜面６３を有する。図７に示すように入口側傾斜面６３は、断面が下側に窪んだ湾曲面となるように傾斜しているが、断面が直線となるように傾斜してもよい。なお、照明装置１０を水盤照明用として用いない場合には、光入口遮光部及び光出口遮光部のそれぞれの上下方向両側面を、窪んだ面及び膨らんだ面のいずれでもなく平面としてもよい。
【００３０】
図１０に示すように、光出口遮光部６６は、上から見た形状が略円形である。光出口遮光部６６の中心軸は、光入口遮光部６２の中心軸でもあるパネル部材６０の中心軸Ｏ１と一致する。光出口遮光部６６は発光モジュール２４からの光が光入口遮光部６２を透過した場合にその光を遮光する。光出口遮光部６６の外周部には略円板状のフランジ６７が形成される。そのフランジ６７の１８０度位相が異なる２つの位置には円弧形の切欠６８が形成される。切欠６８の周方向長さは下カバー要素４８（図９）の中間径方向突部５２の周方向一端からその隣の上端径方向突部５１の周方向他端までの周方向長さより大きい。これにより、光出口遮光部６６は、上端径方向突部５１及び中間径方向突部５２を避けながら下カバー要素４８の内側に配置できる。
【００３１】
筒部６１の内側には光出口遮光部６６の孔としての出口スリット６６ａが接続される。出口スリット６６ａは、光出口遮光部６６の中心軸Ｏ１に対し、入口スリット６２ａの偏心方向と略同じ方向に偏心した位置にある。図７に示すように光出口遮光部６６は、下面が中心に向かって略皿状に窪んでいる。また、光出口遮光部６６は、上面において、中心部から外周縁に向かって下方に傾斜した出口側傾斜面６９を有する。出口側傾斜面６９は、上側に膨らむように湾曲して傾斜しているが、断面が直線となる円錐面状に傾斜してもよい。
【００３２】
上記のように筒部６１がパネル部材６０の中心軸Ｏ１に近い側の一方側面６１ａがパネル部材６０の軸方向に対し、光出口側に向かってこの中心軸Ｏ１から離れる方向に傾斜する。これにより、パネル部材６０は、上側の発光モジュール２４から入射された光を、図７の矢印α方向で示すように、筒部６１に通して、カバー４１の軸方向に対し傾斜して出射させる。パネル部材６０から出射された光は下カバー要素４８に遮られることなく、下カバー要素４８の開口５０から出射される。
【００３３】
パネル部材６０は、カバー４１に支持され、３６０度以上の回転が可能に配置される。具体的には、パネル部材６０の筒部６１及び光入口遮光部６２は、上カバー要素４２の筒部４２ａの内側に配置される。この状態で、上カバー要素４２の筒部４２ａの内周面と光入口遮光部６２の外周面との間には、半径方向の隙間が全周にわたって形成される。また、パネル部材６０の光出口遮光部６６は、下カバー要素４８の内側に配置される。この状態で、下カバー要素４８の内周面と光出口遮光部６６の外周面との間には、半径方向の隙間が全周にわたって形成される。これにより、ユーザは、下カバー要素４８の開口５０に下側から挿入した指によって摩擦力を加えて光出口遮光部６６を回転させ、光出射方向が所望の方向となるように、照射方向を変更して調節することができる。
【００３４】
また、カバー４１の一端である下端から他端である上端に向かって見た場合に、光出口遮光部６６と光入口遮光部６２とが、少なくとも一部で重畳している。例えば、光出口遮光部６６と光入口遮光部６２とは、上カバー要素４２の筒部４２ａの内側で重畳している。これにより上側の発光モジュール２４（図３）から出射された光が、光入口遮光部６２及び光出口遮光部６６が上下方向一方側から見て重なった部分を透過することを防止できるので、パネル部材６０は二重構造の遮光部で光の透過を防止できる。このため、発光モジュール２４から強い光が出射される場合でも、この二重構造で遮光しやすい。これにより、照明装置１０の開口５０から出射される光を、出口スリット６６ａのみからの光としやすい。
【００３５】
図４、図５に戻って、上カバー要素４２において、筒部４２ａの上端には蓋部材７０が固定されている。この蓋部材７０は、例えば光拡散用のフィラーまたはボイドを含有する乳白色の樹脂製透光部材である。蓋部材７０は、外径側と内径側との二重円筒状の筒部の上端に天板が連結された形状である。例えば蓋部材７０の下面において外径側及び内径側の筒部の間に筒部４２ａの上端が超音波溶着で固定される。蓋部材７０は透明な部材であってもよい。蓋部材７０は、発光モジュール２４から出射される光を下側に透過させる機能を有する。蓋部材７０は、カバー４１の内側と天井裏空間との間での水分の流通を遮断する防水構造を形成する。
【００３６】
図４に示すように照射方向変更ユニット４０を組み立てる場合、まず図９に示す下カバー要素４８の内側に図１０に示すパネル部材６０の光出口遮光部６６を配置する。このとき、下カバー要素４８の上端径方向突部５１とその隣の中間径方向突部５２とを、パネル部材６０の光出口遮光部６６の切欠６８の内側に進入させながら下カバー要素４８に光出口遮光部６６を挿入する。その後、光出口遮光部６６を回転させて、下カバー要素４８からのパネル部材６０の抜けを阻止した状態で、複数のリブ５５に光出口遮光部６６のフランジ６７を乗せる。この状態で、パネル部材６０は、下カバー要素４８の軸方向に対しフランジ６７の下面が直交するように配置される。また、下カバー要素４８の下端部の内面で隣り合うリブ５５の間と光出口遮光部６６の下端との間には隙間が形成される。また、光出口遮光部６６の外周縁と下カバー要素４８の内周面との間にも隙間が形成される。
【００３７】
そして、図８に示す上カバー要素４２の筒部４２ａにパネル部材６０の光入口遮光部６２及び筒部６１を挿入しながら、上カバー要素４２を下カバー要素４８に組み合わせる。このとき、上カバー要素４２のフランジ４４に形成した切欠４５の内側に下カバー要素４８の上端径方向突部５１を進入させながら、下カバー要素４８に上カバー要素４２のフランジ４４を挿入する。そして、上カバー要素４２を下カバー要素４８に対し回転させて上カバー要素４２のフランジ４４を下カバー要素４８の中間径方向突部５２の上側突部５２ａに乗せる。これとともに、下カバー要素４８の上端径方向突部５１の下側には上カバー要素４２のフランジ４４を進入させる。これにより、上カバー要素４２のフランジ４４は、下カバー要素４８の上端径方向突部５１と中間径方向突部５２とで挟まれた状態となり、下カバー要素４８からの上カバー要素４２の抜けが阻止される。また、上カバー要素４２のフランジ４４に形成された半径方向壁部４６ａ、４６ｂが下カバー要素４８の上端径方向突部５１の周方向端に突き当たることで上カバー要素４２の回転が規制される。
【００３８】
また、図３、図４に示すように、上カバー要素４２のフランジ４４の上面において、円形壁部４７より内周側部分には、２つの円形のパッキン７１，７２が上下に重ねた状態で配置される。下側のパッキン７２は上下両側面が平面であり、上側のパッキン７１は下側が平面で、上側には同心円である複数の環状溝が形成される。天井板１００に照明装置１０を取り付けた状態で上側のパッキン７１が天井板１００の下面に弾性的に押し付けられることで、照明装置１０のがたつきを抑制できる。
【００３９】
上記の照明装置１０によれば、照明装置１０の一部が挿入される埋め込み孔１０１（図２）の軸方向にカバー４１の軸方向が一致するようにカバー４１を配置することにより、照明の照射方向を埋め込み孔１０１の軸方向に対し傾斜させることができる。また、照明装置１０では、特殊な電球を用いる必要がない。これにより、水盤照明用として用いる照明装置１０を容易に実現できる。図７に矢印α方向に発光モジュール２４（図３）からパネル部材６０の筒部６１に入り込んだ光は、カバー４１の軸方向に対し傾斜した状態で出射され、その出射された光が下側の浴槽等の水面で反射する。その反射した光が壁面に当たることで水面の揺らぎを壁面に映し出すことができる。
【００４０】
また、パネル部材６０が３６０度以上の回転を可能にした状態で、カバー４１に支持されるので、照明装置１０を天井板に取付後、ユーザが下から指でパネル部材６０を回転させ簡単に照射方向を変えることができる。これにより、天井板１００への照明装置１０の取付位置に影響を受けることなく、壁面の所望位置に水面の揺らぎを写し出しやすい。
【００４１】
また、光入口遮光部６２が入口側傾斜面６３を有するので、パネル部材６０の上部に溜まった水分を図７の矢印β方向に流して、筒部６１の内側を通じて下側に排出しやすい。また、照明装置において蓋部材７０を省略した場合に、天井の上側等から上カバー要素４２の筒部４２ａに入り込んだ水分を排出しやすい。
【００４２】
また、光出口遮光部６６が出口側傾斜面６９を有するので、これによっても上カバー要素４２の筒部４２ａに入り込んだ水分を排出しやすい。このとき、図７の矢印Ｐ１方向に筒部４２ａと光入口遮光部６２の外周面との間を通じて落下した水分を、出口側傾斜面６９で矢印Ｐ２の方向に流して、その外周部に排出することができる。この外周部に流れた水分は、光出口遮光部６６の外周面と下カバー要素４８の内周面との間の隙間を矢印Ｐ３の方向に流れて開口５０から排出される。このとき、下カバー要素４８の下端部の内面で隣り合うリブ５５の間と、光出口遮光部６６の下端との間の隙間を通じて水分が排出される。この場合、下カバー要素４８の上端から入り込んだ水分も矢印Ｐ４の方向に流れて矢印Ｐ３の方向に排出することができる。
【００４３】
図１１は、実施形態の別例である照明装置において、図７に対応する図である。図１１に示す構成では、図１〜図１０の構成の場合と異なり、パネル部材６０ａにおいて、光出口遮光部が省略されている。また、カバー４１ａは、略円筒状に形成される。カバー４１ａの内周面には、全周にわたってリング状の突部８０が形成されるとともに、その突部８０より上側の１８０度位相が異なる２つの位置には突部８１ａ，８１ｂが形成される。これらの突部８０，８１ａ，８１ｂにより光入口遮光部６２の外周部に形成されたフランジ６４が、３６０度以上の回転を可能に支持される。このとき、光入口遮光部６２のフランジ６４の１８０度位相が異なる２つの位置には切欠（図示せず）が形成され、その切欠によって、カバー４１ａの上側の突部８１ａ，８１ｂを避けて、パネル部材６０ａをカバー４１ａに対し脱着することが可能となる。この様な構成では、ユーザがカバー４１ａの下端の開口を通じて、パネル部材６０ａの筒部６１の下端部を下側から掴んで所望の位置を照射させるようにパネル部材６０ａを回転させることができる。図１１の構成において、その他の構成及び作用は、図１〜図１０の構成と同様である。
【００４４】
また、上記ではカバーを上カバー要素４２と下カバー要素４８とを組み合わせることにより形成する場合を説明したが、カバーは単一の部材により形成してもよい。
【００４５】
上記では光源としてＬＥＤ等の発光素子を含む発光モジュール２４を用いる場合を説明したが、光源はこのような構成に限定するものではなく、ＬＥＤ電球、白熱電球等、種々の光源を用いることができる。
【符号の説明】
【００４６】
１０  照明装置、１２  電源ユニット、１３  電源カバー、１３ａ，１３ｂ  カバー要素、１３ｃ  本体板部、１３ｄ  脚部、１４  コネクタ、１５  回路基板、１６  光源ユニット、１７  光源支持部、１８  上カバー、２０  下カバー、２２  中カバー、２４  発光モジュール、３０  天井取付ユニット、３１  天井取付板、３１ａ  本体板部、３１ｂ  周壁部、３１ｃ  突部、３１ｄ  孔部、３２  ボルト、３３  筒ナット、３４  木ねじ、３６  下側筒部材、３７  筒部、３７ａ  ねじ孔、３８  フランジ、４０  照射方向変更ユニット、４１，４１ａ  カバー、４２  上カバー要素、４２ａ  筒部、４３  雄ねじ部、４４  フランジ、４５  切欠、４６ａ，４６ｂ  半径方向壁部、４７  円形壁部、４８  下カバー要素、４８ａ  底板部、４９  周壁部、５０  開口、５１  上端径方向突部、５２  中間径方向突部、５２ａ  上側突部、５３  傾斜部、５４  カバー傾斜面、５５  リブ、６０，６０ａ  パネル部材、６１  筒部、６１ａ  一方側面、６１ｂ  他方側面、６２  光入口遮光部、６２ａ  入口スリット、６３  入口側傾斜面、６４  フランジ、６６  光出口遮光部、６６ａ  出口スリット、６７  フランジ、６８  切欠、６９  出口側傾斜面、７０  蓋部材、７１，７２  パッキン、８０，８１  突部、１００  天井板、１０１  埋め込み孔。
【図１Ａ】
2018206610.tif 000003
【図１Ｂ】
2018206610.tif 000004
【図２】
2018206610.tif 000005
【図３】
2018206610.tif 000006
【図４】
2018206610.tif 000007
【図５】
2018206610.tif 000008
【図６】
2018206610.tif 000009
【図７】
2018206610.tif 000010
【図８】
2018206610.tif 000011
【図９】
2018206610.tif 000012
【図１０】
2018206610.tif 000013
【図１１】
2018206610.tif 000014